(57)【特許請求の範囲】
【請求項１】
送風部と、この送風部を支持する支柱と、この支柱の下端に設けられる基台と、この基台内部に設けられた回路ケース部とから構成し、この回路ケース部は、箱形状のケース部と、このケース部内に設けた第１の回路部と、第２の回路部と、前記第１の回路部の上方に設けた開口部と、この開口部に固定される蓋部とから形成し、前記第１の回路部は、前記第２の回路部より温度が高いと共に、前記蓋部の厚さは、前記ケース部の厚さより小さいことを特徴とする扇風機。
【請求項２】
前記蓋部は、前記基台の内面に接触していることを特徴とする請求項１に記載の扇風機。
【請求項３】
前記蓋部は、少なくとも傾斜面を備えたことを特徴とする請求項１または２に記載の扇風機。
【請求項４】
前記ケース部と前記蓋部とは、材質は樹脂であると共に難燃性であることを特徴とする請求項１から３のいずれかに記載の扇風機。
【発明の詳細な説明】
【技術分野】
【０００１】
本発明は、制御基板ケースを用いた扇風機に使用されるものである。
【背景技術】
【０００２】
従来、この種の扇風機の構造は、以下のようになっていた。（例えば、特許文献１参照）。
【０００３】
以下、その扇風機について図７および図８を参照しながら説明する。
【０００４】
図７および図８に示すように、ガード１０１により覆われた羽根１０２を駆動する扇風機主体１０３を支持する支柱１０４を設け、支柱１０４を支持する基台１０６を基台カバー１０７と基台ベース部１０８の二重構造により形成し、基台１０６の下面には底板１０９を設け、底板１０９を介してナット１１０により支柱１０４を基台１０６に取り付ける。
【０００５】
そして、基台ベース部１０８は合成樹脂で成型し、支柱１０４の挿入される挿入孔１１１と、挿入孔１１１の近傍の裏面には制御基板１１２等の電装部品１１３が取り付けられ、基台べース部１０８の表面の制御基板１１２の対応する部分にはスイッチボタン１１５の収納される凹状の収納部１１６を設け、スイッチボタン１１５を上下動可能に収納する。
【先行技術文献】
【特許文献】
【０００６】
【特許文献１】特開２００５−２１４１０１号公報（第１図、第２図）
【発明の概要】
【発明が解決しようとする課題】
【０００７】
このような従来の扇風機においては、制御基板が基台ベース部と底板の間に収納される構成となっていたので、制御基板に異常が発生した場合に、制御基板の上部に直接合成樹脂の基台ベース部があることにより、基台ベース部に影響する可能性があり安全性が低いという課題を有していた。
【０００８】
そこで本発明は、上記従来の課題を解決するものであり、基台ベース部の安全性を高めるとともに、制御基板の動作を安定することを目的とするものである。
【課題を解決するための手段】
【０００９】
そして、この目的を達成するために、本発明は、送風部とこの送風部を支持する支柱と、この支柱の下端に設けられる基台と、この基台内部に設けられた制御基板ケース部とから構成し、この制御基板ケース部は、箱形状のケース部と、このケース部内に設けた第１の制御基板部と、第２の制御基板部と、前記第１の制御基板部の上方に設けた開口部と、この開口部に固定される蓋部とから形成し、前記第１の制御基板部は、前記第２の制御基板部より温度が高いと共に、前記蓋部の厚さは、前記ケース部の厚さより小さいことを特徴としたものであり、これにより所期の目的を達成するものである。
【発明の効果】
【００１０】
本発明によれば、送風部と、送風部を支持する支柱と、この支柱の下端に設けられる基台と、この基台内部に設けられた回路ケース部とから構成し、この回路ケース部は、箱形状のケース部と、このケース部内に設けた第１の回路部と、第２の回路部と、前記第１の回路部の上方に設けた開口部と、前記第１の回路部は、前記第２の回路部より温度が高いと共に、前記蓋部の厚さは、前記ケース部の厚みより小さいという構成にしたことにより、第１の回路部の上部の蓋部の厚みがケース部より厚みが小さいことから、第１の回路部から発熱される熱が、蓋部を介して回路ケース部外に効率良く放熱することが出来、第１の回路部および第２の回路部の動作を安定するという効果を得ることができる。
【図面の簡単な説明】
【００１１】
【図１】本発明の実施の形態１の扇風機の側面図
【図２】同扇風機の基台の分解斜視図
【図３】同扇風機の回路ケース部の分解斜視図
【図４】同扇風機の回路ケース部の分解斜視図と完成斜視図
【図５】同扇風機の活性種発生部の概略図
【図６】同扇風機の回路ケース部の内部を示す断面図
【図７】従来の扇風機の側面図
【図８】従来の扇風機の基台の分解斜視図
【発明を実施するための形態】
【００１２】
以下本発明の実施形態について、図面を参照しながら説明する。
【００１３】
（実施の形態）
図１および図２に示すように、本発明の扇風機は送風部とこの送風部を支持する支柱４と、この支柱４の下端に設けられる基台７と、この基台内部に設けられた回路ケース部１１とから構成されている。
【００１４】
送風部は、ファン１が取り付けられたファンモーター２とファン１を囲う着脱可能なガード３から構成される。
【００１５】
支柱４は、上部に送風部の風向きを変える首振り機構５と、中段に支柱高さを調節できるに支柱高さ調節ねじ６が設けられている。また、下端部に筒状の挿入部９を有しており、基台挿入部１０に一体的に取り付ける構成である。
【００１６】
基台７は、略箱形状で、前面側の内部には、送風部の運転を制御する操作部８を備え、背面側の内部には回路ケース部１１を備え、基台７の下面には底板１２を設けている。
【００１７】
本実施形態における特徴は、回路ケース部１１の構造にある。図３および図４に示すように、この回路ケース部１１は、略箱形状のケース部１３と、このケース部１３内に設けた第１の回路部１４と、第２の回路部１５と、第１の回路部１４の上方に設けた開口部１６と、この開口部１６に固定される蓋部１７とから構成している。
【００１８】
ケース部１３は、横長の略箱形状で、上面が開口した下ケース部１３ａと、横長の略箱形状で、下面が開口した上ケース部１３ｂとから構成している。これら下ケース部１３ａと上ケース部１３ｂとは、ケース固定手段１８によって、固定され、横長の略箱形状を形成するものである。ケース部１３の一方側の内部には、第１の回路部１４を設け、他方側の内部には、第２の回路部１５を設けている。
【００１９】
第１の回路部１４の１例は、高電圧印加部であり、第２の回路部１５の１例は、活性種発生部である。
【００２０】
図５に示すように、この活性種発生部２１は、棒形状の放電電極２２と、この放電電極２２に対向して配置された対向電極２３とから形成している。これらの放電電極２２と対向電極２３間に高電圧を印加するものが、第１の回路部１４である高電圧印加部２０である。すなわち、第１の回路部１４である高電圧印加部２０は、第２の回路部１５である活性種発生部２１より温度が高いものである。
【００２１】
また、図４に示すように、開口部１６は、略四角形状で、上ケース部１３ｂ一方側の上面、つまり第１の回路部１４の上方に位置するものである。蓋部１７は、略四角平板形状で、開口部１６を覆うように蓋部固定手段１９によって、固定される。この蓋部固定手段１９は、蓋部１７に設けられた孔部１９ａと、開口部１６に設けられたボス部１９ｂと、このボス部にねじ止め可能なねじ部１９ｃとから構成している。すなわち、開口部１６に蓋部１７を被せ、ねじ部１９ｃを蓋部１７に設けられた孔部１９ａを介して、開口部に設けられたボス部１９ｂにねじ止めすることにより、蓋部１７を開口部１６に固定できる。ここで、蓋部１７の厚さは、ケース部１３の厚さより小さいものである。
【００２２】
すなわち、第１の回路部１４の上部の蓋部１７の厚みがケース部１３の厚みより小さいことから、第１の回路部１４から発熱される熱が、蓋部１７を介して回路ケース部１１外に効率良く放熱することが出来、第１の回路部１４および第２の回路部１５の動作を安定するという効果を得ることができる。
【００２３】
また、第１の回路部１４の上部の蓋部１７の厚みがケース部１３の厚みより小さいことから、回路ケース部１１の高さを小さくでき、結果として、基台７の高さも小さくすることができるものである。
【００２４】
また、図６に示すように蓋部１７は基台７の内面に接触している構造となる。
【００２５】
このように、蓋部１７と基台７が接触しているので、第１の回路部１４から発熱される熱が、ケース部１３外部の基台７に効率良く放熱することができ、制御基板の動作を安定するという効果を得ることができる。
【００２６】
また、図６に示すように、蓋部１７は、少なくとも傾斜面を備えたものである。
【００２７】
このように  蓋部１７は、少なくとも傾斜面を備えているので、平面形状の蓋部に比べ、表面積が大きいことから、第１の回路部１４から発熱される熱が、回路ケース部１１外の基台７に効率良く放熱することができ、第１の回路部１４および第２の回路部１５の動作を安定するという効果を得ることができる。
【００２８】
また、ケース部１３と蓋部１７の材質は、合成樹脂であると共に、難燃性を備えた構成となる。
【００２９】
このような構成によれば、第１の回路部１４および第２の回路部１５はケース部１３と蓋部１７に収納されることから、第１の回路部１４または第２の回路部１５に異常が発生した場合に、第１の回路部１４および第２の回路部１５は難燃性の樹脂に覆われていることから、基台７の安全性を更に向上することができる。
【産業上の利用可能性】
【００３０】
本発明にかかる扇風機は、基台の安全性の向上と制御基板の動作を安定できることを可能とするものであるので、複数の制御基板が基台内に搭載されるイオン発生装置搭載の扇風機等として有効である。
【符号の説明】
【００３１】
１      ファン
２      ファンモーター
３      ガード
４      支柱
５      首振り機構
６      高さ調節ねじ
７      基台
８      操作部
９      挿入部
１０    基台挿入部
１１    回路ケース部
１２    底板
１３    ケース部
１３ａ  下ケース部
１３ｂ  上ケース部
１４    第１の回路部
１５    第２の回路部
１６    開口部
１７    蓋部
１８    ケース固定手段
１９    蓋部固定手段
１９ａ  孔部
１９ｂ  ボス部
１９ｃ  ねじ部
２０    高電圧印加部
２１    活性種発生部
２２    放電電極
２３    対向電極
【図１】
0005903656.tif 000002
【図２】
0005903656.tif 000003
【図３】
0005903656.tif 000004
【図４】
0005903656.tif 000005
【図５】
0005903656.tif 000006
【図６】
0005903656.tif 000007
【図７】
0005903656.tif 000008
【図８】
0005903656.tif 000009